(57)【要約】【課題】  従来のディスクドライブ装置では、光ピックアップ等を支持するシャーシの外形が、テーブル回転手段に装着された光ディスクの外形より外側に大きくはみ出しているため、ディスクドライブ装置及びこれを備えた電子機器が大きなものとなり、ディスクドライブ装置及び電子機器の小型化、軽量化の障害になっている。【解決手段】  光ディスク２が着脱可能に装着されるターンテーブル３６を回転駆動するテーブル回転手段３５と、そのテーブル回転手段３５が取り付けられるシャーシ３７と、テーブル回転手段３５により回転駆動される光ディスク２に対して情報信号の記録及び／又は再生を行う光学ピックアップ装置５０と、その光学ピックアップ装置５０を光ディスク２の半径方向に移動させるピックアップ移動手段５１と、を備えたディスクドライブ装置に関する。シャーシ３７は、ターンテーブル３６に装着された光ディスク２の投影面内から光学ピックアップ装置５０が移動する方向にのみ円弧状に突出し、その他の部分は投影面内に収まるように略Ｄ字形に形成した。【選択図】      図５
2006172607.tif 000002
【特許請求の範囲】
【請求項１】
ディスク状記録媒体が着脱可能に装着されるターンテーブルを回転駆動するテーブル回転手段と、
前記テーブル回転手段が取り付けられるシャーシと、
前記テーブル回転手段により回転駆動される前記ディスク状記録媒体に対して情報信号の記録及び／又は再生を行うピックアップ装置と、
前記ピックアップ装置を前記ディスク状記録媒体の半径方向に移動させるピックアップ移動手段と、
を備えたディスクドライブ装置において、
前記シャーシは、前記ターンテーブルに装着された前記ディスク状記録媒体の投影面内から前記ピックアップ装置が移動する方向にのみ円弧状に突出し、その他の部分は前記投影面内に収まるように略Ｄ字形に形成したことを特徴とするディスクドライブ装置。
【請求項２】
前記ピックアップ装置は、前記テーブル回転手段の略半面を囲うように形成された円弧状の凹部を有する略半円形のスライド部材を具え、当該スライド部材の外縁は、前記ディスク状記録媒体の外周縁の曲率半径と略同程度の曲率半径による円弧の内側に収まるように形成したことを特徴とする請求項１記載のディスクドライブ装置。
【請求項３】
前記スライド部材は、前記ピックアップ装置の対物レンズが配置される部分の幅を最も小さくし、当該スライド部材内に、前記対物レンズを含むピックアップ装置の光学系の光軸を前記テーブル回転手段の回転中心に対して接線方向に延在させて収容したことを特徴とする請求項２記載のディスクドライブ装置。
【請求項４】
前記シャーシは、前記略Ｄ字形に形成された平面部と、当該平面部の周縁に全周に亘って連続して形成された側面部とを有し、
前記平面部には前記ピックアップ装置が露出される開口部を設け、当該開口部は、前記円弧状をなす円弧辺を除く３辺に縁取りを設け、当該円弧辺側のみは側面辺のみを残すように形成したことを特徴とする請求項１記載のディスクドライブ装置。
【請求項５】
ディスク状記録媒体を回転駆動すると共に当該ディスク状記録媒体に対して情報信号の記録及び／又は再生を行うディスクドライブ装置を備えた電子機器において、
前記ディスクドライブ装置は、前記ディスク状記録媒体が着脱可能に装着されるターンテーブルを回転駆動するテーブル回転手段と、前記テーブル回転手段が取り付けられるシャーシと、前記テーブル回転手段により回転駆動される前記ディスク状記録媒体に対して情報信号の記録及び／又は再生を行うピックアップ装置と、前記ピックアップ装置を前記ディスク状記録媒体の半径方向に移動させるピックアップ移動手段と、を備え、
前記シャーシは、前記ターンテーブルに装着された前記ディスク状記録媒体の投影面内から前記ピックアップ装置が移動する方向にのみ円弧状に突出し、その他の部分は前記投影面内に収まるように略Ｄ字形に形成したことを特徴とする電子機器。
【発明の詳細な説明】
【技術分野】
【０００１】
本発明は、回転駆動されるディスク状記録媒体の半径方向に光ピックアップを移動させて、その光ピックアップによりディスク状記録媒体に対して情報信号の記録及び／又は再生を行うようにしたディスクドライブ装置及び、そのディスクドライブ装置を備えた電子機器に関し、特に、光ピックアップ等を支持するシャーシを可及的に小さくして装置及び機器の小型化、軽量化を図るようにしたディスクドライブ装置及び電子機器に関するものである。
【背景技術】
【０００２】
従来の、この種のディスクドライブ装置としては、例えば、特許文献１に記載されているようなものがある。特許文献１には、ピックアップの送り機構内に発生するガタ及びバックラッシュの影響を排除するための技術に関するものが記載されている。この特許文献１に記載されたディスクドライブ装置は、「送り機構によって駆動されて、回転するディスク状の記録媒体の径方向に移動自在とされたピックアップを用いて情報信号の記録又は再生を行うようにされたディスクドライブ装置において、上記送り機構は、モータ及び該モータの駆動力の減速及び伝達を行うギア群から成ると共に、上記ギア群の構成要素の一部又は全部を、付勢手段によって互いに接する他の構成要素に対して常に押し付けられる方向に付勢されるようにした」ことを特徴としている。
【０００３】
このような構成を有するディスクドライブ装置によれば、「部品点数が少ないので、省資源化が可能となると共に、組み立てが容易で取り付け工数も少なく、省コスト性にも優れたものとすることができる」という効果が期待される。
【０００４】
また、従来のディスクドライブ装置の他の例としては、例えば、特許文献２に記載されているようなものもある。特許文献２には、光ヘッド送り装置に関するものが記載されている。この特許文献２に記載された光ヘッド送り装置は、「光ディスク媒体にレーザー光を照射して光ディスク媒体に情報の記録・再生を行う光ヘッド本体と、その光ヘッド本体の半径方向に往復移動自在に光ヘッド本体の軸受部嵌合支持する２本のロッドレールと、光ヘッド本体に取り付けられるリードティースと、そのリードティースと噛み合い光ヘッド本体を移動させるリードスクリューと、そのリードスクリューの回転駆動源となるモータと、そのモータのシャフトに固定されるモータギアと、リードスクリューに固定されるリードスクリューギアと、そのリードスクリューギアとモータギアとの間に配置されモータの回転駆動をリードスクリューに伝達するアイドルギアと、リードスクリューに対してリードティースを付勢するスプリングとを有し、リードティースは、リードスクリューと噛み合うティース部と、ヒンジ部と、ロッドレールが挿入されるレール挿入部とを有し、レール挿入部にブレーキパッドを有する」ことを特徴としている。
【０００５】
このような構成を有する光ヘッド送り装置によれば、「光ヘッド本体に振動、衝撃などの外力が働いた場合に、リードティースが弾性変形し、ブレーキパッドがロッドレールに押し当てられ、摩擦力が加味された状態で、光ヘッド本体の光ディスク媒体の半径方向への移動を阻止でき、光ヘッド本体およびティース部の損傷、破壊障害を防止し、信頼性を向上させることができる」等の効果が期待される。
【０００６】
しかしながら、特許文献１に記載されたディスクドライブ装置及び特許文献２に記載された光ヘッド送り装置のいずれの場合においても、光ピックアップ等を支持するシャーシの外形が、テーブル回転手段に装着された光ディスクの外形より外側に大きくはみ出しているため、ディスクドライブ装置及びこれを備えた電子機器が大きなものとなり、ディスクドライブ装置及び電子機器の小型化、軽量化の障害になっているという課題があった。
【特許文献１】特開２００２−３０４８６１号公報
【特許文献１】特開２００３−２６３８４６号公報
【発明の開示】
【発明が解決しようとする課題】
【０００７】
解決しようとする問題点は、従来のディスクドライブ装置においては、光ピックアップ等を支持するシャーシの外形が、テーブル回転手段に装着された光ディスクの外形より外側に大きくはみ出しているため、ディスクドライブ装置及びこれを備えた電子機器が大きなものとなっており、ディスクドライブ装置及び電子機器の小型化、軽量化の障害になっているという点である。
【課題を解決するための手段】
【０００８】
本出願のディスクドライブ装置は、ディスク状記録媒体が着脱可能に装着されるターンテーブルを回転駆動するテーブル回転手段と、そのテーブル回転手段が取り付けられるシャーシと、テーブル回転手段により回転駆動されるディスク状記録媒体に対して情報信号の記録及び／又は再生を行うピックアップ装置と、そのピックアップ装置をディスク状記録媒体の半径方向に移動させるピックアップ移動手段と、を備えたディスクドライブ装置において、シャーシは、ターンテーブルに装着されたディスク状記録媒体の投影面内からピックアップ装置が移動する方向にのみ円弧状に突出し、その他の部分は投影面内に収まるように略Ｄ字形に形成したことを最も主要な特徴とする。
【０００９】
本出願のディスクドライブ装置は、ピックアップ装置は、テーブル回転手段の略半面を囲うように形成された円弧状の凹部を有する略半円形のスライド部材を具え、そのスライド部材の外縁は、ディスク状記録媒体の外周縁の曲率半径と略同程度の曲率半径による円弧の内側に収まるように形成したことを特徴とする。
【００１０】
本出願のディスクドライブ装置は、スライド部材は、ピックアップ装置の対物レンズが配置される部分の幅を最も小さくし、そのスライド部材内に、対物レンズを含むピックアップ装置の光学系の光軸をテーブル回転手段の回転中心に対して接線方向に延在させて収容したことを特徴とする。
【００１１】
本出願のディスクドライブ装置は、シャーシは、略Ｄ字形に形成された平面部と、その平面部の周縁に全周に亘って連続して形成された側面部とを有し、平面部にはピックアップ装置が露出される開口部を設け、その開口部は、円弧状をなす円弧辺を除く３辺に縁取りを設け、円弧辺側のみは側面辺のみを残すように形成したことを特徴とする。
【００１２】
また、本出願の電子機器は、ディスク状記録媒体を回転駆動すると共にそのディスク状記録媒体に対して情報信号の記録及び／又は再生を行うディスクドライブ装置を備えた電子機器において、ディスクドライブ装置は、ディスク状記録媒体が着脱可能に装着されるターンテーブルを回転駆動するテーブル回転手段と、そのテーブル回転手段が取り付けられるシャーシと、テーブル回転手段により回転駆動されるディスク状記録媒体に対して情報信号の記録及び／又は再生を行うピックアップ装置と、そのピックアップ装置をディスク状記録媒体の半径方向に移動させるピックアップ移動手段と、を備え、シャーシは、ターンテーブルに装着されたディスク状記録媒体の投影面内からピックアップ装置が移動する方向にのみ円弧状に突出し、その他の部分は投影面内に収まるように略Ｄ字形に形成したことを特徴とする。
【発明の効果】
【００１３】
本出願のディスクドライブ装置によれば、シャーシの形状を、ターンテーブルに装着されたディスク状記録媒体の投影面内に大部分が収まるように略Ｄ字形に形成し、ピックアップ装置が移動する方向にのみ必要最小限の範囲内で円弧に突出させる構成としたため、ピックアップ装置の移動距離を所定量に保持しつつシャーシの外形を可及的に小さくすることができ、ディスクドライブ装置全体の小型化、軽量化を図ることができる。
【００１４】
本出願のディスクドライブ装置によれば、ピックアップ装置のスライド部材を略半円形に形成すると共に、そのスライド部材の外縁であるテーブル回転手段から遠い側の縁がディスク状記録媒体の外周縁の内側に収まるように構成したため、シャーシの外縁がテーブル回転手段に装着された光ディスクの外縁より外側にはみ出す量を可及的に少なくすることができ、外形の小さなシャーシを有するディスクドライブ装置を提供することができる。
【００１５】
本出願のディスクドライブ装置によれば、スライド部材の対物レンズが配置される部分の幅を最も小さくすると共に、対物レンズを含む光学系の光軸をテーブル回転手段の回転中心に対して略接線方向に延在させてスライド部材に光学系を収容する構成としたため、ピックアップ装置の移動距離を所定量に保持しつつシャーシの外形を可及的に小さくできるディスクドライブ装置を提供することができる。
【００１６】
本出願のディスクドライブ装置によれば、シャーシの平面部に設けた開口部を、円弧状をなす円弧辺を除く３辺に縁取りを設け、円弧辺のみは縁取りを無くして側面部のみとしたため、シャーシの小型化を図りながら開口部を可及的に大きく形成することができる。
【００１７】
また、本出願の電子機器によれば、ターンテーブルに装着されたディスク状記録媒体の投影面内に大部分が収まるようにシャーシの形状を略Ｄ字形に形成し、ピックアップ装置が移動する方向にのみ必要最小限の範囲内でシャーシを円弧に突出させる構成としたため、シャーシが可及的に小さく形成されたディスクドライブ装置を備え、機器全体の小型化、軽量化を可能とした電子機器を提供することができる。
【発明を実施するための最良の形態】
【００１８】
ピックアップ装置の移動距離を所定量に保持しつつシャーシの外形を可及的に小さくすることができ、装置全体の小型化、軽量化を図ることができるディスクドライブ装置及び電子機器を、簡単な構造によって実現した。
【実施例１】
【００１９】
図１〜図７は、本発明の実施の形態の例を示すものである。即ち、図１〜図３は本発明のディスクドライブ装置を備えた電子機器の一実施例を示すもので、図１はディスク式撮像装置を正面側から見た斜視図、図２は同じく背面側から見た斜視図、図３は同じくディスク蓋を開いた斜視図である。図４〜図６は本発明のディスクドライブ装置の一実施例を示すもので、図４は正面図、図５は背面図、図６は背面側から見た斜視図である。また、図７は本発明のディスクドライブ装置に搭載されているピックアップ装置の光学系の構成の一実施例を示す説明図である。
【００２０】
図１〜図３に示す電子機器１は、情報記憶メディアであるディスク状記録媒体の一具体例として示す直径８ｃｍのＤＶＤ−Ｒ（Digital Video Disc−Recordable）を使用し、光学的な画像をＣＣＤ（固体撮像素子）で電気的な信号に変換してＤＶＤ−Ｒに記録したり、液晶モニタ等の表示装置に表示できるようにしたもの（以下「ディスク式撮像装置」という。）である。しかしながら、本発明のディスク状記録媒体としては、この実施例で示すＤＶＤ−Ｒに限定されるものではなく、ＤＶＤ−ＲＷ、ＤＶＤ−ＲＡＭその他の記録可能な光学ディスクを用いることができることは勿論のこと、例えば光磁気ディスク、磁気ディスク等のように他の記録方式のディスク状記録媒体を適用することができることは勿論である。
【００２１】
図１等に示すように、ディスク式撮像装置１は、着脱自在に装着されるＤＶＤ−Ｒ２（図４を参照）を回転駆動して情報信号の記録（書き込み）及び再生（読み出し）を行うディスクドライブ装置３（図４〜図６に示す。）と、このディスクドライブ装置３の駆動制御等を行う図示しない制御回路と、被写体の像を光として取り込んでＣＣＤに導くレンズ装置４と、これらディスクドライブ装置３等が収納される外装ケース５と、この外装ケース５に回動自在に取り付けられてディスク収納部６を開閉可能に覆うことができるディスク蓋７等を備えて構成されている。
【００２２】
外装ケース５は、三重に重ね合わせるように組み合わされるディスク側パネル８、中央部パネル９及び表示装置側パネル１０と、レンズ装置４の光軸方向の前後に配置されてこれらのパネル８〜１０と組み合わされるフロントパネル１１及びリアパネル１２と、中央部パネル９の内側に配置される図に表れない仕切りパネルとからなり、これらのパネル８〜１２によって中空の筐体が構成されている。そして、仕切りパネルのディスク側パネル８側の面に、ディスクドライブ装置３がマウントインシュレータを介して弾性的に支持されている。これらのパネル８〜１２は、互いに重ね合わされた適当な部分において、或いは他の部材を介して固定ネジからなる固着手段によって組立・分解可能に構成されている。
【００２３】
レンズ装置４は、外装ケース５の上部に内蔵された状態で固定されており、その撮像レンズ１５がフロントパネル１１の上部を前方に貫通して前面に露出されている。図示しないが、外装ケース５の内部において、レンズ装置４の後方にＣＣＤが配置されており、そのＣＣＤの後方にビューファインダ１６が配置されている。
【００２４】
ビューファインダ１６は外装ケース５の上部に露出されていて、ファインダ移動機構によってレンズ装置４の光軸方向へ所定距離だけ進退移動可能に構成されている。このビューファインダ１６は、前側を回動中心として後側が上下方向へ回動可能に構成されている。これによりビューファインダ１６は、レンズ装置４の光軸と平行をなす水平状態から、後部を上方へ持ち上げた上向き状態まで所定角度範囲（本実施例では約９０度）内で任意角度に角度調節可能とされている。このビューファインダ１６の角度調整は、ファインダ移動機構の前端部から後端部までの如何なる位置においても行うことができるようになっている。
【００２５】
更に、外装ケース５の上部には、ビデオライトや外付けマイクロホン等のアクセサリーが着脱自在に装着されるアクセサリーシュー１７が取り付けられている。アクセサリーシュー１７はビューファインダ１６の直前に配置されており、ビューファインダ１６を後方へ移動させたときに、アクセサリーシュー１７への挿入口が開口されるようになされている。この挿入口を開口させた状態においてアクセサリーの装着が可能であり、アクセサリーの装着後、ビューファインダ１６を前方へ移動させると、その挿入口が閉口されてアクセサリーの取り外しが不能となる。このアクセサリーシュー１７には、通常、不使用時に空間部分を埋める蓋体をなすシューキャップ１８が装着される。
【００２６】
また、フロントパネル１１の前面には、上から順にリモコン受光部２０とマイク端子とステレオ方式の内蔵マイクロホン２２が配置されている。リモコン受光部２０は、リモコン操作のための受信部である。このリモコン受光部２０は、焦点を自動的に調整する等のために用いられる赤外線を発光する赤外線発光部も兼ねている。また、マイク端子は映像端子と音声端子とからなり、これらの端子は端子カバー２１によって開閉可能に覆われている。
【００２７】
図２に示すように、外装ケース５のリアパネル１２には、電源バッテリー２４が着脱自在に装着されるバッテリー収納部２５が設けられている。バッテリー収納部２５は、リアパネル１２の背面及び下面に開口されており、電源バッテリー２４は後方斜め下方から差し込み、また同方向へ取り出し可能とされている。更に、リアパネル１２には、吊り下げ用ストラップのための２個の支持金具２６ａ，２６ｂが取り付けられている。２個の支持金具２６ａ，２６ｂのうち、一方の支持金具２６ａは外装ケース５の左サイドの下部に取り付けられ、他方の支持金具２６ｂは外装ケース５の右サイドの上部に取り付けられている。
【００２８】
図１に示すように、外装ケース５の表示装置側パネル１０には、表示装置２８が姿勢変更可能に取り付けられている。表示装置２８は、図示しない平板状の液晶モニタと、この液晶モニタが収納されたパネルケースと、このパネルケースを外装ケース５に対して姿勢変更可能に支持するパネル支持部とから構成されている。パネル支持部は、垂直軸を回動中心としてパネルケースを水平方向に略９０度回動可能とした水平回動機能と、水平軸を回動中心としてパネルケースを前後方向に略１８０度回動可能とした前後回動機能とを有している。
【００２９】
これにより、表示装置２８は、図１に示すように外装ケース５の側面に収納した収納状態と、パネルケースを９０度回動させて液晶モニタを後方へ対向させた状態と、パネルケースを１８０度回動させて液晶モニタを前方へ対向させた状態と、それらの中間位置の状態とを任意に取ることができるようになっている。更に、表示装置側パネル１０の上部には、複数の操作ボタンからなる操作部２９が設けられている。
【００３０】
図３に示すように、外装ケース５の側面には、ディスク状記録媒体が着脱可能に装着されるディスク収納部６が設けられている。ディスク収納部６は、ディスクドライブ装置３の一部を露出させるための開口部を有する一定領域からなり、この実施例では、ディスク状記録媒体の一具体例として示す直径８ｃｍのＤＶＤ−Ｒ２に対応する大きさの領域として形成されている。このディスク収納部６の略中央部にはディスクドライブ装置３のテーブル回転手段３５が配置され、その略中央部に設けられたターンテーブル３６に対して、ＤＶＤ−Ｒ２が装着固定可能とされている。
【００３１】
ディスクドライブ装置３は、シャーシ３７を介して外装ケース５に固定されている。このディスクドライブ装置３が配置されたディスク収納部６は、ディスク側パネル８に側面部を回動自在に支持されたディスク蓋７によって開閉可能に覆われている。ディスク蓋７は、ディスク収納部６の形状に見合う形状とされていて、背面側に取り付けられた蓋回動軸部３８によって外装ケース５に固定されている。ディスク蓋７は、ディスク収納部６を覆う平面部７ａと、この平面部７ａの外周縁の略全周に亘って連続された周面部７ｂとを有している。このディスク蓋７の周面部７ｂは、ディスク側パネル８のディスク収納部６の外周側切欠き部と嵌り合うように構成されている。
【００３２】
蓋回動軸部３８は、図示しないが、ディスク蓋７の背面側に設けた方形部７ｃを貫通する支持軸と、この支持軸の両端を固定的に支持する一対の軸受片を有する軸受部材とからなり、軸受部材をディスク側パネル８に固定することによってディスク蓋７が回動自在に支持されている。この蓋回動軸部３８には、ディスク蓋７の最大開き角度（例えば、９０度）を設定するストッパ部が設けられている。
【００３３】
このような蓋回動軸部３８が、その支持軸の軸方向を上下方向に設定してディスク側パネル８に取り付けられている。これにより、ディスク蓋７が蓋回動軸部３８を介してディスク側パネル８の後部に回動可能に支持されている。その結果、ディスク蓋７は、ディスク式撮像装置１の正面を前側として前開きによって側方へ略９０度開放動作させることができる。なお、蓋回動軸部３８には、一定の開放角度の範囲内においてディスク蓋７を任意の開放位置で静止させることができると共に、その開放角度を超えたときにはディスク蓋７を開放側へ付勢するようにバネ部材が装着されている。
【００３４】
ディスク側パネル８と中央部パネル９との間には、図示しないが、ディスク蓋７の蓋開閉機構が設けられている。この蓋開閉機構は、ディスク収納部６を閉じた状態のディスク蓋７を、その閉じ状態においてロックする機能と、そのロックを解除する機能とを有するものである。この蓋開閉機構に対応させて、ディスク蓋７の内面にはロック部材３９が取り付けられている。
【００３５】
また、図２に示すように、ディスク側パネル８には、ディスク蓋７を囲うようにハンドベルト４０が取り付けられている。ハンドベルト４０は、外装ケース５の把持部５ａを握るユーザーの手を支え、ディスク式撮像装置１の取り落とし等を防止するものである。このハンドベルト４０は、両端がディスク側パネル８に固定されたベルト部材４１と、このベルト部材４１に装着されてユーザーの手の甲部分に当接される保護パッド４２とから構成されている。ベルト部材４１の一端はディスク側パネル８の前側下部に固定された取付金具４３に連結され、他端はディスク側パネル８の後側中途部に設けた貫通穴から内側に挿入されて、その内部に取り付けられた取付金具に固定されている。
【００３６】
図２に示すように、ディスク側パネル８の後部には、電源ボタン４４とモード切換ダイヤル４５と録画ボタン４６が配置されている。モード切換ダイヤル４５はリング状をなしており、その穴内に電源ボタン４４が収納されている。電源ボタン４４はプッシュ・プッシュ方式のスイッチ手段からなり、その押圧動作によって電源バッテリー２４からの電力供給がオン・オフされる。モード切換ダイヤル４５は録画等の動作モードを選択するためのもので、その回動操作によって「静止画モード」と「動画モード」と「見る・編集モード」との３態様の中から任意のモードを選択することができる。また、録画ボタン４６はプッシュ・プッシュ方式のスイッチ手段からなり、その押圧動作によって動画撮影のスタートとストップが繰り返される。
【００３７】
更に、ディスク側パネル８の後側上部には、シャッタボタン４７とズームレバー４８が配置されている。シャッタボタン４７は静止画を撮影するためのもので、その押圧操作により、１回の押圧操作毎に１つの静止画が撮影される。また、ズームレバー４８は撮影時や再生時等において画像を拡大したり縮小したりするためのもので、その操作量に応じて一定の範囲内で倍率を無段階に調整することができる。
【００３８】
前記外装ケース５を構成するディスク側パネル８、中央部パネル９、表示装置側パネル１０、フロントパネル１１及びリアパネル１２の材料としては、例えば、ＡＢＳ（アクリロニトリル・ブタジエン・スチレン樹脂）が好適である。しかしながら、ＡＢＳに限定されるものではなく、その他のエンジニアリングプラスチックを適用できることは勿論のこと、合成樹脂以外のアルミニウム合金等の金属を用いることもできる。
【００３９】
外装ケース５の内部は仕切りパネルによって左右方向（レンズ装置４の光軸と交差する方向）に仕切られており、これにより、ディスク蓋７側の第１の室と表示装置側の第２の室とに分けられている。仕切りパネルは板状の部材からなり、固定ネジによって外装ケース５の内部に締付固定されている。仕切りパネルの材料としては、例えば、ステンレス鋼（ＳＵＳ）が好適であるが、スチール鋼、アルミニウム合金その他の金属を適用できることは勿論のこと、金属以外のエンジニアリングプラスチックを用いることもできる。
【００４０】
図示しないが、外装ケース５の第１の室にはディスクドライブ装置３が収納され、第２の室にはレンズ装置４と制御回路部等が収納されている。そのため、仕切りパネルの一面側にはディスクドライブ装置３を支持するための複数個の支持突起が設けられ、他面側にはレンズ装置４やプリント基板等を支持するための複数個の支持片が設けられている。制御回路部は、例えば、マイクロコンピュータや記憶装置（ＲＡＭ，ＲＯＭ）、コンデンサや抵抗その他の電子部品と、これらの電子部品が搭載されるプリント基板等によって構成されている。
【００４１】
ディスクドライブ装置３は、図４〜図６に示すように、仕切りパネル等のケース側の部材を介して外装ケース５に取り付けられるシャーシ３７と、このシャーシ３７に固定されるテーブル回転手段３５と、ピックアップ装置の一具体例を示す光学ピックアップ装置５０と、この光学ピックアップ装置５０をテーブル回転手段３５に対して接近又は離反させるようにＤＶＤ−Ｒ２の半径方向に所定範囲内で往復移動させるピックアップ移動手段５１等を備えて構成されている。
【００４２】
シャーシ３７は、略Ｄ字形に形成された上面部３７ａと、この上面部３７ａの周縁に連続する側面部３７ｂと、ケース側部材に取り付けるために側面部３７ｂの周縁の４箇所に設けたインシュレータ取付部３７ｃとを有し、電気を良く通す金属材料によって一体に形成されている。各インシュレータ取付部３７ｃには連通孔５２が設けられており、その連通孔５２にはマウントインシュレータ５３がそれぞれ装着されている。マウントインシュレータ５３は絶縁性材料で形成されたゴム状弾性体からなり、それらのマウントインシュレータ５３を介してシャーシ３７がケース側部材を介して外装ケース５に弾性的に支持される。
【００４３】
シャーシ３７の上面部３７ａには、光学ピックアップ装置５０の上面を露出させるための開口部５４が設けられている。開口部５４は、上面部３７ａの略中央から側面部３７ｂの円弧部に至る部分に開口されており、その円弧側面部を除く他の３辺側に適当な幅の縁取りが設けられている。即ち、開口部５４は、円弧状をなす円弧辺を除く他の３辺に縁取り、円弧辺側のみは側面辺を残すように形成されている。この上面部３７ａの縁取りのうち、中央縁取りの内側には、テーブル回転手段３５が搭載されるモータベース５５が取り付けられ、これを挟むようにその両側に連続された側部縁取りの内側にはガイド部材の一具体例を示す一対のガイド軸５６，５７が１本ずつ取り付けられている。
【００４４】
テーブル回転手段３５は、シャーシ３７の下面に固定ねじ５８ａでねじ止めされたモータベース５５と、このモータベース５５上に搭載されて固定されたスピンドルモータ６０と、このスピンドルモータ６０の回転部に設けられたターンテーブル３６とから構成されている。モータベース５５は導電性を有する金属製の板体からなり、その一面にスピンドルモータ６０がカシメ等の固着手段によって固定されている。なお、スピンドルモータ６０は、シャーシ３７に直接固定する構成としても良いことは勿論である。
【００４５】
スピンドルモータ６０は、モータベース５５に固定される固定部と、その固定部に回転自在に支持された回転部とからなり、その回転部の上面にターンテーブル３６が一体的に設けられている。ターンテーブル３６は、ＤＶＤ−Ｒ２のセンタ穴が嵌合されるディスク嵌合部３６ａと、ＤＶＤ−Ｒ２のセンタ穴の周縁部が載置されるディスク載置部３６ｂとを有している。ターンテーブル３６のディスク嵌合部３６ａには、ＤＶＤ−Ｒ２のセンタ穴の周縁部に係合してＤＶＤ−Ｒ２を保持する複数個（本実施例では３個）のロック爪６１が周方向に等間隔に配置されている。各ロック爪６１は、図示しないスプリングによって半径方向外側へ付勢されており、このスプリングのバネ力によるロック爪６１の保持力でＤＶＤ−Ｒ２がターンテーブル３６の所定位置に位置決めされて固定される。
【００４６】
このテーブル回転手段３５の近傍に光学ピックアップ装置５０が配設されている。光学ピックアップ装置５０は、ＤＶＤ−Ｒ２の情報記録面に対向される対物レンズ６２を有する二軸アクチュエータ６３と、この二軸アクチュエータ６３が搭載されたスライド部材６４等を備えて構成されている。スライド部材６４は、ガイド部材の一具体例を示す主ガイド軸５６と副ガイド軸５７との２本のガイド軸５６，５７にガイドされてテーブル回転手段３５に対して進退移動（接近及び離反）可能に構成されている。
【００４７】
２本のガイド軸５６，５７は、それぞれ金属製の真っ直ぐな丸棒によって形成されている。一方の主ガイド軸５６は、スライド部材６４の長手方向の一端に設けた一対の第１の軸受部６５ａ，６５ｂの軸受穴を摺動自在に貫通している。一対の第１の軸受部６５ａ，６５ｂの軸受穴は、主ガイド軸５６の軸方向に適宜な間隔をあけて同一軸心線上に設定されており、一対の第１の軸受部６５ａ，６５ｂで１本の主ガイド軸５６を支持することによってスライド部材６４が移動する際の直進性を確保するようにしている。
【００４８】
他方の副ガイド軸５７は、スライド部材６４の長手方向の他端に設けた第２の軸受部６６の軸受溝に摺動自在に貫通されている。第２の軸受部６６の軸受溝は、スライド部材６４の長手方向の側方へ開口するように設けられている。そして、主ガイド軸５６と副ガイド軸５７とは、テーブル回転手段３５を挟むように所定の間隔をあけて対向されると共に、互いに略平行をなすように配置されている。これら主ガイド軸５６及び副ガイド軸５７は、それぞれ軸方向の両端部において、支持手段６７によってシャーシ３７に固定するように支持されている。
【００４９】
支持手段６７は、各ガイド軸５６，５７の端部を支持するためにシャーシ３７の４箇所に設けた軸受部６８と、シャーシ３７に固定される押え板６９とから構成されている。各軸受部６８は、ガイド軸５６の端部を収容することができる凹部を有しており、その凹部内にガイド軸５６の各端部が収容されている。そして、各ガイド軸５６，５７の各端部を押え板６９で押え付けることによって、各ガイド軸５６，５７がシャーシ３７に、支持手段６８によって両端支持されている。なお、２本のガイド軸５６，５７は、いずれか１本のみを丸棒として形成し、他の１本はシャーシ３７と一体に形成するようにしてもよい。
【００５０】
前記２本のガイド軸５６，５７と、スライド部材６４に取り付けられた送りナット７０と、この送りナット７０の歯部が摺動可能に係合されるねじ溝を有する送りねじ軸７３と、この送りねじ軸７３を回転駆動する原動機の一具体例を示す送りモータ７５等によってピックアップ移動手段５１が構成されている。送りモータ７５としては、例えば、ステップモータが好適であるが、その他の直流電動機や交流電動機、或いは油・空圧シリンダ、揺動モータ等のアクチュエータを用いることもできる。
【００５１】
送りねじ軸７３は、送りモータ７５の回転軸として構成されており、その外周面に螺旋状に延在されたねじ溝が設けられている。送りねじ軸７３は、２本のガイド軸５６，５７、特に、主ガイド軸５６の軸心線と略平行をなすように配置されており、軸受ホルダ７６によって回転自在に両端支持されている。軸受ホルダ７６は、送りねじ軸７３を支持する支持片が両端に設けられたプレート状の部材からなり、固定ねじ５８ｂによってシャーシ３７にねじ止めされて固定されている。この軸受ホルダ７６に送りモータ７５が固定されている。そして、送りねじ軸７３のねじ溝に、送りナット７０の歯部が噛合されている。
【００５２】
かくして、送りモータ７５を駆動して送りねじ軸７３を回転駆動することにより、その送りねじ軸７３の回転力が送りナット７０を介してスライド部材６４に伝達される。その結果、送りねじ軸７３の回転方向に応じて、光学ピックアップ装置５０がテーブル回転手段３５に近づく方向と離れる方向とに選択的に移動される。
【００５３】
スライド部材６４は、テーブル回転手段３５のスピンドルモータ６０の略半面を囲うように形成された円弧状の凹部を有する略半円形の部材からなり、その凸側の外縁は、ターンテーブル３６に装着されるＤＶＤ−Ｒ２の外周縁の曲率半径と略同程度の曲率半径による円弧の内側に収まるように略円弧状に形成されている。このスライド部材６４の長手方向中途部の幅は、他の部分の幅よりも小さく（細く）形成されている。このスライド部材６４の細幅部分の略中央部には、光学ピックアップ装置５０の光学系の一部をなす対物レンズ６２が配置されている。
【００５４】
光学ピックアップ装置５０の光学系８０は、図７に示すような部材の組み合わせによって構成されている。図７に示すように、光学系８０は、光ビームを発生する光発生器の一具体例を示すレーザダイオード（ＬＤ）８１を有しており、その発光部８１ａの前方にグレーティング（回折格子）８２が配置されている。グレーティング８２の前方には第１のビームスプリッタ８３と第２のビームスプリッタ８４とが直列に配置されている。更に、第２のビームスプリッタ８４の前方には、１／４波長板８５とコリメータレンズ８６とプリズムミラー８７とが順次直列に配置されている。
【００５５】
プリズムミラー８７のコリメータレンズ８６側の面は４５°に傾斜された反射面とされており、その反射面に対向するように対物レンズ６２が配置されている。また、第２のビームスプリッタ８４の側方には、フロントフォトダイオード（ＦＰＤＩＣ）８８が配置されている。ＦＰＤＩＣ８８は、レーザダイオード（ＬＤ）８１から出射される光ビームの出力をモニタするものである。更に、第１のビームスプリッタ８３の側方には、シリンドリカルレンズ（マルチレンズ）８９を介してフォトダイオード（ＰＤＩＣ）９０が配置されている。フォトダイオード（ＰＤＩＣ）９０は、光ディスクの情報記録面にて反射された反射光（再生信号）を受光して情報信号を取り出す光検出器の一具体例を示すものである。
【００５６】
レーザダイオード８１からプリズムミラー８７までは、その光軸ＰＣが１つの軸心線上に位置するように配置されており、レーザダイオード８１から出射された光ビームは、その光軸ＰＣに沿って直線的に移動してプリズムミラー８７の反射面に到達する。プリズムミラー８７の反射面に達した光ビームは、その反射面で９０°屈折されて対物レンズ６２に向い、その対物レンズ６２で集光されて光ディスクの情報記録面に照射される。情報記録面で反射された光ビームは、対物レンズ６２を通ってプリズムミラー８７の反射面にて反射されることによりその進行方向が９０°屈折され、光軸ＰＣに沿ってＰＤＩＣ９０側に戻る。
【００５７】
ＰＤＩＣ９０側に戻る光ビームは、その一部が第２のビームスプリッタ８４で９０°屈折されてＦＰＤＩＣ８８に向い、ＬＤ８１の出力検出に供される。第２のビームスプリッタ８４を直線的に通過した光ビームは、第１のビームスプリッタ８３によってその進行方向が９０°屈折され、シリンドリカルレンズ８９を介してＰＤＩＣ９０にて受光される。このＰＤＩＣ９０により、受光された光ビームに基づいて情報信号の再生が行われると共に、フォーカスエラーやトラッキングエラーが検出され、フォーカス制御及びトラッキング制御に供される。
【００５８】
このような構成を有する光学系８０が、図５に示すような状態で、スライド部材６４に搭載されている。光学系８０の先端に位置する対物レンズ６２は、スピンドルモータ６０の回転部の回転中心ＲＣを通り、且つ、スライド部材６４の進行方向と平行をなす中心線ＬＣ上に設定されている。この中心線ＬＣに対して光軸ＰＣは、所定の角度θだけ傾斜させることにより回転中心ＲＣに対して接線方向へ延在するように設定されている。
【００５９】
光学ピックアップ装置５０の光学系８０を、このような配置構造とすることにより、スライド部材６４の外縁に円弧状の丸みを持たせることができる。これにより、スライド部材６４の外縁をシャーシ３７の円弧状部分に対応させて外側にはみ出す部分を無くし、スライド部材６４の移動ストロークを必要とされる所定量を確保しながら、シャーシ３７の外形を可及的に小さなものとすることができる。この関係を説明するための図が、図８及び図９である。
【００６０】
図８は、本発明の実施例を説明するためのものであり、シャーシ３７の大部分は、ターンテーブル３６に装着されたＤＶＤ−Ｒ（光ディスク）２の投影面内に隠れるように形成されており、わずかにスライド部材６４が移動する方向に突出されている。このシャーシ３７の突出部は、この種のシャーシにとっては殆ど必要不可欠なものであるため、これを無くすことは困難なものである。即ち、光ピックアップの対物レンズ６２の光軸は、光ディスク２の情報記録面の外周縁の近傍まで移動する必要がある。ところが、対物レンズ６２の外側にはある程度のスペースが必要となるため、その分に更にある程度のスペースの余裕を持たせると、図８に示すような形状及び大きさとすることが、シャーシ３７を可及的に小さくできる最小の形状及び大きさの限界であると考えられる。
【００６１】
図９は、従来のシャーシの形状及び大きさを、図８に示した本発明の実施例と比較するためのものであり、前述した特許文献２の図９に相当する図である。図９から明らかなように、光ディスク（ＤＶＤ−Ｒ）２の投影面に対して、ディスクドライブ装置１０１の外形が左側の部分で大きく外側にはみ出している。そのため、このディスクドライブ装置１０１を用いてディスク式撮像装置等の電子機器を構成する場合には、装置全体が大きな物となり、装置の大型化が避けられない状態となっていた。
【００６２】
これに対して、本願発明の前記実施例では、図８から明らかなように、光ディスクの投影面に対するシャーシ３７のはみ出し量を小さくすることによってディスク式撮像装置等の電子機器の小型化を図ることができ、商品の小型化に大きく貢献することができる。更に、光ディスクの外形に沿った円弧状部分を有する側面部３７ｂを具えたシャーシ３７を、１枚の板金を用い且つ絞り等の強化策を多用して構成することにより、十分な強度を保有しながら、コンパクトなものとすることができる。
【００６３】
上述したテーブル回転手段３５とシャーシ３７と光学ピックアップ装置５０とピックアップ移動手段５１とその他の関連機構、装置等によってディスクドライブ装置３が構成されている。このような構成を有するディスクドライブ装置３を外装ケース５内の所定位置に取り付けることにより、図３に示すように、テーブル回転手段３５のターンテーブル３６がディスク収納部６の略中央部に配置されている。このディスク収納部６がディスク蓋７によって開閉され、そのディスク蓋７を閉じ位置に保持するロックと、そのロックを解除するロック解除とが蓋開閉機構によって行われる。
【００６４】
このディスクドライブ装置３を備えたディスク式撮像装置１によれば、被写体を撮影することにより、その被写体の画像に対応したデジタル信号を発生させて、液晶ディスプレイ等の表示装置にその画像を表示したり、内蔵された記憶装置や外付けされる記憶装置等にその画像に対応した情報信号を記録したりすることができる。また、本発明によれば、ディスクドライブ装置３の外形をディスクの外形に沿うよう略Ｄ字形に形成し、ディスクドライブ装置３の外形をディスクの外形に重ね合わせるように投影させる構成としたため、ディスクドライブ装置３の外形を可及的に小さくすることができ、この種のディスクドライブ装置３を備える電子機器の小型化、軽量化を図ることができる。
【産業上の利用可能性】
【００６５】
本発明は、前述しかつ図面に示した実施の形態に限定されるものではなく、その要旨を逸脱しない範囲内で種々の変形実施が可能である。例えば、前記実施例では、ＤＶＤ−Ｒ（光ディスク）を記録媒体として用いたディスク式撮像装置に適用した例について説明したが、光磁気ディスクや磁気ディスク等の他の記録方式のディスク状記録媒体を用いた撮像装置に適用できるものである。また、前記実施例では、情報信号の再生ばかりでなく記録も可能なディスク記録再生装置について説明したが、再生のみが可能なディスク再生装置は勿論のこと、記録のみが可能なディスク記録装置にも適用可能である。更に、本発明に係る電子機器としては、前述した撮像装置に限定されるものではなく、この種のディスクドライブ装置が用いられるパーソナルコンピュータ、電子辞書、ＤＶＤプレーヤ、カーナビゲーションその他各種の電子機器に適用できるものである。
【図面の簡単な説明】
【００６６】
【図１】本発明のディスクドライブ装置を備えた電子機器の一実施例を示すディスク式撮像装置を正面側から見た斜視図である。
【図２】本発明のディスクドライブ装置を備えた電子機器の一実施例を示すディスク式撮像装置を背面側から見た斜視図である。
【図３】図１に示すディスク式撮像装置のディスク蓋を開いてディスクドライブ装置を露出させた状態の斜視図である。
【図４】本発明のディスクドライブ装置の一実施例を示す正面図である。
【図５】本発明のディスクドライブ装置の一実施例を示す背面図である。
【図６】本発明のディスクドライブ装置の一実施例を示す背面側から見た斜視図である。
【図７】本発明のディスクドライブ装置に係るピックアップ装置の光学系の一実施例を示す斜視図である。
【図８】本発明のディスクドライブ装置に装着されたディスク状記録媒体に対して、その投影面からシャーシがどの程度はみ出すかを説明するための図である。
【図９】従来のディスクドライブ装置に装着されたディスク状記録媒体に対して、その投影面からシャーシがどの程度はみ出すかを説明するための図である。
【符号の説明】
【００６７】
１…ディスク撮像装置（電子機器）、  ２…ＤＶＤ−Ｒ（ディスク状記録媒体）、  ３…ディスクドライブ装置、  ５…外装ケース、  ３５…テーブル回転手段、  ３６…ターンテーブル、  ３７…シャーシ、  ３７ａ…上面部、  ３７ｂ…側面部、  ５０…光学ピックアップ装置（ピックアップ装置）、  ５１…ピックアップ移動手段、  ５４…開口部、  ５６，５７…ガイド軸（ガイド部材）、  ６０…スピンドルモータ、  ６２…対物レンズ、  ６４…スライド部材、  ８０…光学系、  ＬＣ…中心線、  ＰＣ…光学系の光軸、  ＲＣ…回転中心
【図１】
2006172607.tif 000003
【図２】
2006172607.tif 000004
【図３】
2006172607.tif 000005
【図４】
2006172607.tif 000006
【図５】
2006172607.tif 000007
【図６】
2006172607.tif 000008
【図７】
2006172607.tif 000009
【図８】
2006172607.tif 000010
【図９】
2006172607.tif 000011